(57)【要約】【課題】マットレス収縮時に上方向の力が働いてもマットレスの浮き上がりを確実に防止できるマットレス及びベッド装置を提供する。【解決手段】マットレス１０は、長手方向端面１０ａがボトム１４の収縮時にフットボード２４から圧縮力を受けるように用いられるものであり、その圧縮を受ける長手方向端面１０ａは、その上側（符号「１０ａ１」で示す）がその下側（符号「１０ａ２」で示す）よりも長手方向の足側先方に位置する斜面構造に形成されていて、圧縮されてもマットレス１０に浮き上がりが生じない。【選択図】図４
2013099405.tif 000002
【特許請求の範囲】
【請求項１】
長手方向端面が圧縮を受けるように用いられるマットレスにおいて、
圧縮を受ける長手方向端面は、その上側がその下側よりも長手方向先方に位置する構造に形成されていることを特徴とするマットレス。
【請求項２】
前記マットレスがカバーに覆われており、該カバーには、前記長手方向端面側の底面部に滑り止め構造を設けたことを特徴とする請求項１に記載のマットレス。
【請求項３】
請求項１または２に記載のマットレスを設置して用いるボトム起伏または伸縮機能を備えたことを特徴とするベッド装置。
【発明の詳細な説明】
【技術分野】
【０００１】
本発明はマットレス及びベッド装置に関する。
【０００２】
従来、ベッド装置において、足部の長さを調整可能にした技術が提案されている。
【０００３】
例えば特開２００６-１３６６６９号公報（「特許文献１」という）には、マットレスの足側の箇所をベッド装置の長手方向に伸縮調整可能にしてボトム長を調整可能にしたマットレスが開示されている。この特許文献１では、ベッドのボトム上に載せたマットレスは、単層のウレタンフォーム芯材の足側部分に反発度を調整するため、十字状もしくは一字状の厚さ方向の貫通穴を所定間隔ごとに千鳥状に打抜き加工して形成している。
【０００４】
又、特開２００９−２７３８９４号公報には、その図面に示されるように、マットレスの足部がフォームコアを波打たせて形成されているものが開示されている。この場合、デッキ足部の長さを収縮した際に、フォームコアの波形態が該足部の長手方向の縮小を可能にしている。
【先行技術文献】
【特許文献】
【０００５】
【特許文献１】特開２００６−１３６６６９号公報
【特許文献２】特開２００９−２７３８９４号公報
【発明の概要】
【発明が解決しようとする課題】
【０００６】
しかしながら、マットレス芯材の足部の収縮性調整ため、前述の特許文献１のように十字の打ち抜き加工することや、特許文献２のように波形状にすることによって、マットレス収縮時の長手方向の反発力を小さくすることは出来るが、ベッドボトム面のわずかな段差等によってベッドボトム上のマットレスが弓なりになるので、従来技術では、マットレス収縮時に上方向の力が働いて、マットレスの浮き上がりを抑えることは出来ないものであった。
【０００７】
したがって、従来のマットレスの構成では、マットレス収縮時に上方向の力を抑える有効な対策が必要である。
【０００８】
また、打抜加工や波形状によって、マットレス収縮時の長手方向の反発力を小さくしたとしても、マットレスのカバーに伸縮性のない織物を用いた場合、マットレスの収縮に伴い、当該カバーに広範囲にしわが寄ってしまい、その寄ったしわにより、マットレスが浮き上がってしまった。
【０００９】
したがって、従来の形状ではマットレス収縮時のカバーのしわを抑えることに対しても有効な対策が必要であった。
【００１０】
本発明は、前記の実情に鑑みなされたもので、マットレス収縮時に上方向の力が働いてもマットレスの浮き上がりを確実に防止できるマットレス及びベッド装置を提供することを目的とする。
【課題を解決するための手段】
【００１１】
本発明は、長手方向の端面が圧縮を受けるように用いられるマットレスにおいて、圧縮を受ける長手方向の端面は、その上側がその下側よりも長手方向の先方に位置する構造に形成されていることを特徴とするマットレスである。
【００１２】
本発明においては、前記マットレスがカバーに覆われており、該カバーには、前記長手方向の端面側の底面部に滑り止め構造を設けたことが好適である。
【００１３】
本発明は、前記マットレスを設置して用いるボトム起伏または伸縮機能を備えたことを特徴とするベッド装置である。
【発明の効果】
【００１４】
本発明においては、マットレスの圧縮を受ける長手方向端面が、その上側がその下側よりも長手方向先方に位置する構造（例えば斜面構造）に形成されているので、圧縮を受けたときに他面の上側が下側よりも先に圧縮され、該マットレス端面が回転モーメントを受けながら圧縮される。したがって、該マットレスの端面には下方向に向かう力が働き、上方向の力が抑えられるので、マットレスの浮き上がりが確実に防止できる。
【００１５】
また、本発明において、マットレスのカバーに、前記長手方向端面側の底面部に滑り止め構造を設けることによって、マットレスの長手方向端面が圧縮を受けたときにマットレスカバーは滑り止め構造から端面側の部分のみが収縮し、マットレスカバーにしわが寄るのをこの収縮部分だけに抑える（収縮範囲を限定する）ことができる。したがって、仮にカバーに伸縮性のない織物を用いた場合等に、しわが寄るのを上記の収縮部分のみに抑えてマットレスがしわにより浮き上がるのを効果的に防止できる。
【図面の簡単な説明】
【００１６】
【図１】本発明の第１の実施形態に係るマットレスが設置された伸縮機能を持ったベッドの装置の説明図であり、（ａ）が側面図、（ｂ）が平面図である。
【図２】図１のマットレスの側面視した説明図である。
【図３】（ａ）は従来品の説明図、（ｂ）は実施形態のマットレスの説明図である。
【図４】（ａ）〜（ｃ）図１のマットレスの変形過程の説明図である。
【図５】本発明の第２の実施形態に係るマットレスの側面視説明図である。
【図６】（ａ）がマットレスの比較例動作説明図、（ｂ）が図５のマットレスの動作説明図である。
【図７】カバーのしわの寄り方を示す説明図であって、（ａ）がマットレスの比較例動作説明図、（ｂ）が図５のマットレスの説明図である。
【発明を実施するための形態】
【００１７】
以下、本発明の実施形態を添付図面を参照して説明する。
図１〜図７は、本発明の実施形態に係るマットレスの説明図である。
【００１８】
図１〜図２に示すように、マットレス１０は、ベッド装置１２のボトム１４上に載置されて使用されるものである。前記ベッド装置１２は、病院や家庭等の使用箇所において、患者等の使用者がマットレス１０上に横臥するための水平に設置されるものであって、図１において、マットレス１０の長手方向が左右方向であって、マットレス１０上の横臥する使用者の頭が向く頭部方向側について「ｈｅａｄ」を略記して符号「ｈ」で示し、足が向く足部１８方向側について「ｆｏｏｔ」を略記して符号「ｆ」で示している。この「ｈ」及び「ｆ」で指し示す方向がマットレス１０の長手方向である。
【００１９】
前記ベッド装置１２は、一般的な水平なフロア上にキャスター車輪１６ａによって移動可能に設置される概略矩形の台車部１６と、該台車部１６上に昇降脚部１６ｂによって昇降可能に支持されるメインフレーム２０と、該メインフレーム２０上に保持される前記ボトム１４とを備えた構造のものである。
【００２０】
前記メインフレーム２０の長手方向側端部、つまり、足側端部には、延長フレーム２２が長手方向に進退動可能に設置され、その延長フレーム２２の末端部に使用者の足に向くフットボード２４が垂直方向に立設している。又、メインフレーム２０の頭側端部には、ヘッドボード２６が立設されている。延長フレーム２２は、手作動又はアクチュエータ等の動力によってメインフレーム２０から進退動し、同時にフットボード２４も進退動する。
【００２１】
前記ボトム１４には、前記延長フレーム２２が伸長した場合に当該延長フレーム２２上を覆うようにボトム１４の足側から延びる延長ボトム１４ａが設けられており、延長フレーム２２の進退動に追従して延長ボトム１４ａが進退動して、マットレス１０が延長フレーム２２側に落ち込まないようになっている。
【００２２】
延長ボトム１４ａはフットボトムでもあり、図１や図２に示すように中程のボトム１４に比較して、段差を有して高くなっている。
【００２３】
また、この延長ボトム１４ａの進退動に追従するようにフットボード２４も移動する。
【００２４】
このようにフットボード２４が立設しており、メインフレーム２０から延長フレーム２２が進退動することによってボトム１４の長さが伸縮し、同時に、フットボード２４が長手方向に移動する。ボトム１４の長さが一番長いときに合わせて設置されたマットレス１０である。マットレス１０は、ボトム１４が短くなる方向に移動することによって、フットボード２４が長手方向端面１０ａを押圧して、該マットレス１０の足部１８が圧縮を受けるように用いられる。
【００２５】
実施形態において、マットレス１０は、ｆ方向側の足部１８（使用者の足が載る部分であって例えばマットレス１０全体長さの１／２〜１／５程度）が前記長手方向端面（足側端面）１０ａの押圧等による圧縮によって変形する部分になる。マットレス１０は、少なくとも足部１８は発泡ウレタン素材からなる板材を単層又は複数層で設けており、該足部１８を含めてマットレス１０全体外側がカバー２８で覆われている。
【００２６】
図２に詳細に示すように、実施形態のマットレス１０は、長手方向の端面１０ａがボトム１４の収縮時にフットボード２４から圧縮力を受けるように用いられるものであり、その圧縮を受ける長手方向の端面１０ａは、その上側（符号「１０ａ１」で示す）がその下側（符号「１０ａ２」で示す）よりも長手方向の足側先方に位置する斜面構造に形成されている。
【００２７】
比較のため、ベッド装置上に従来のマットレスに設けた例を図３（ａ）に示し、当該ベッド装置上に実施形態のマットレスを設けたものを図３（ｂ）に示す。図３（ａ）に示すように、従来のマットレスＡの長手方向の足側端面Ａ１が垂直方向上下に向いており、当該端面Ａ１がフットボード２４の当接面に平行に形成されている。したがって、端面Ａ１がフットボード２４によって押圧されると、上向きに曲がってしまう。
【００２８】
これに対して、実施形態では、図３（ｂ）に示すように、長手方向端面１０ａにおいて上側１０ａ１が下側１０ａ２よりも凸の端面に形成されており、該端面１０ａはフットボード２４の当接面に対して例えば１０°〜４０°の角度で開いている。
【００２９】
図４（ａ）〜（ｃ）は、前記端面１０ａがフットボード２４で押圧された経過を示す説明図である。
図４の（ａ）に示すように、フットボード２４にマットレスの長手方向の端面１０ａが対向する状態から、フットボード２４をｈ方向に移動させる。
【００３０】
図４の（ｂ）に示すように、当該端面１０ａにフットボード２４を力Ｆで押しつける。すると長手方向端面１０ａが下側１０ａ２よりも凸に形成された上側１０ａ１が先にフットボード２４に当る。この場合、端面１０ａへの力が上側１０ａ１から下側１０ａ２にかけて各矢印で示す力Ｆ１、Ｆ２、…Ｆｎ（ｎ＝１…ｎ）は順に力が少なくなる（Ｆ１＞Ｆ２＞…＞Ｆｎ）。
つまり、前記長手方向端面１０ａ（斜面）の上ほど多くの圧縮力が作用する。このように端面１０ａへの力が上側１０ａ１が下側１０ａ２よりも強い圧縮力から斜面の下側１０ａ２（底辺）を中心とした回転モーメントＦｔが発生し、図４（ｂ）に示すよう、マットレス１０は破線の状態から実線の状態に下側の延長ボトム１４ａ上に押しつけられる。
したがって、マットレス１０の浮き上がりが生じない。
【００３１】
マットレス１０の端面１０ａに、さらに、フットボード２４を押し付けて圧縮しても、図４（ｃ）に示すように、強い回転モーメントＦｔからマットレス１０は破線の状態から実線の状態にさらに強く押し付ける力が作用する。したがって、さらに圧縮されたマットレス１０であっても浮き上がりは生じない。
【００３２】
以上のように第１の実施形態においては、マットレス１０の圧縮を受ける長手方向端面１０ａが、その上側１０ａ１がその下側１０ａ２よりも長手方向先方に位置する構造（斜面構造）に形成されているので、圧縮を受けたときに長手方向端面１０ａの上側１０ａ１が下側１０ａ２よりも先に圧縮され、該マットレス端面１０ａが下向きの回転モーメントＦｔを受けながら圧縮される。
したがって、該マットレス１０の長手方向端面１０ａには下方向に向かう力が働き、上方向の力が抑えられるので、マットレス１０の浮き上がりが確実に防止される。
【００３３】
次に、本発明の第２の実施形態を図５〜図７によって説明する。第２の実施形態に係るマットレス１０では、上記第１の実施形態のマットレスのカバー２８に、前記長手方向の端面側、つまり足部１８の底面部に滑り止め構造３０を設けたものである。
【００３４】
マットレス１０では、芯材が各種ウレタンフォーム材を用いている。また、カバー２８の材質が織物、不織布等各種の繊維質のものや、樹脂製の平坦なシート材等を使用できるが、足部の圧縮によってマットレス芯材が圧縮した際にカバー２８にしわが寄る構造である
カバー２８底部に設ける滑り止め構造３０には、ボトム１４ａに対する摩擦係数の高い材質のもの（例えば、ゴム、エラストマー、合成樹脂等のカバー２８よりも摩擦係数の高い材質のもの）を用いる。
【００３５】
また、滑り止め構造３０は、図５に示すように、マットレス１０の足部１８の底面側であり、ボトム１４の延長ボトム１４ａ表面に対面する側に設けており、延長ボトム１４ａ表面の加工を前記滑り止め構造３０に対して適切な摩擦係数を付与する材質が好ましい。例えば樹脂系滑り止め塗料を塗ることや、凹凸の表面加工（エンボス加工）を施すことが適切である。
【００３６】
第２実施形態のマットレス１０においては、フットボード２４によって長手方向の端面１０ａを押圧すると第１実施形態のマットレス１０と同様に足部１８には下向きにモーメントが生じると共に、カバー２８の頭方向（ｈ方向）への移動は滑り止め構造３０との間で生じる摩擦力によって延長ボトム１４ａに固定されるので、圧縮は滑り止め構造３０と足部１８の長手方向端面１０ａとの間で生じ、限定された範囲になる。
【００３７】
図６（ａ）、図７（ａ）に従来のマットレスＡと、図６（ｂ）、図７（ｂ）に第２の実施形態に係るマットレス１０とについて実施形態のベッド装置上に載置してそれぞれ長手方向の端部を押圧し圧縮した状態を比較して示している。
【００３８】
図６（ａ）に示すように、従来のマットレスＡでは、長手方向の端部Ａ１が平坦であるので、そのままマットレスＡが押されて収縮するが、カバーＡ２に広範囲にしわＮが寄りかつマットレスＡが浮き上がる。
【００３９】
これに対して、図６（ｂ）及び図７（ｂ）に示すように、第２の実施形態のマットレス１０はフットボード２４が圧縮すると、滑り止め構造３０と長手方向端面１０ａとの間の収縮部３２のみにカバー２８の収縮が抑えられ、マットレス１０が浮き上がりにくくなる。
【００４０】
第２の実施形態によれば、マットレス１０のカバー２８に、前記長手方向端面１０ａ側の底面部に滑り止め構造３０が設けられることによって、マットレス１０の長手方向端面１０ａが圧縮を受けたときに、カバー２８は滑り止め構造３０から端面１０ａ側の収縮部３２のみが収縮し、マットレスカバー２８にしわが寄るのはこの収縮部分だけに抑える（収縮範囲を限定する）ことができる。
【００４１】
したがって、仮にカバー２８に伸縮性のない織物を用いた場合等、しわが寄るのが上記の収縮部分のみに抑えてマットレス１０がしわによって浮き上がるのを効果的に防止できる。
【００４２】
発明者の知見によれば、第２の実施形態において、マットレス（９５ｍｍ厚）の伸縮時の浮き上がり量が図６（ａ）の従来の場合が６７ｍｍであったのが、実施形態のマットレス１０では、１９ｍｍに減少した。つまり、浮上がり量で見て７２％減少しており、本発明の有用性が確認された。
【００４３】
なお、本発明においては、マットレスの圧縮される長手方向端面が斜面に限定されず、その上側がその下側よりも長手方向先方に位置する構造であれば段状である等各種形状に形成することができる。
又、マットレス１０を載置するベッド装置は、実施形態の構成の他、各種の構成例えばリンクで足部１８を伸縮させるものでもよい。ベッド装置は、その他、上下に起伏する機能を持ち全体としてマットレスを伸縮させるように作用するベッド装置も用いることができる。
【産業上の利用可能性】
【００４４】
本発明の家庭用、病院用等各種ベッド装置用のマットレスに利用することができる。
【符号の説明】
【００４５】
１０  マットレス
１０ａ  マットレスの長手方向端面
１０ａ１  長手方向端面の上側
１０ａ２  長手方向端面の下側
１２  ベッド装置
１４  ボトム
１４ａ  延長ボトム
１６  台車部
１８  足部
２０  メインフレーム
２２  延長フレーム
２４  フットボード
２６  ヘッドボード
２８  マットレスのカバー
３０  滑り止め構造
３２  収縮部
Ｆ  フットボードによる押圧力
Ｆ１…Ｆｎ  各部の押圧力の力
Ｆｔ  回転モーメント
【図１】
2013099405.tif 000003
【図２】
2013099405.tif 000004
【図３】
2013099405.tif 000005
【図４】
2013099405.tif 000006
【図５】
2013099405.tif 000007
【図６】
2013099405.tif 000008
【図７】
2013099405.tif 000009